(57)【要約】【課題】ゴルフクラブのヘッド上面に「振りどころ」の目印を設けることで、クラブの重心を振ることができ、クラブの動きたい方向とスイングとをシンクロさせる。【解決手段】グリップエンドを把持して吊り下げた場合、ヘッド（３）自体が揺動可能な状態にあるとき、グリップ（６）の中心の穴を通る垂線（Ｚ）はヘッド（３）のフェース（４）からヘッド（３）の中心方向に入った位置となり、この位置を通るフェース（４）と平行な仮想ライン（Ｙ）とフェース（４）の中央を通ってフェース（４）に直角な軸線（Ｌ）との交点を含み、その前後とトウ（９）−ヒール（１０）の方向に±２〜５ｍｍの範囲内にひとつの目印点（Ａ）を設け、この目印点（Ａ）を５ｍｍ±２ｍｍの円形又は楕円形に形成した。【選択図】図１
2010119483.tif 000002
【特許請求の範囲】
【請求項１】
グリップエンドを把持して吊り下げた場合、ヘッド自体が揺動可能な状態にあるとき、グリップの中心の穴を通る垂線はヘッドのフェースからヘッドの中心方向に入った位置となり、この位置を通るフェースと平行な仮想ラインＹとフェースの中央を通ってフェースに直角な軸線Ｌとの交点を含み、その前後とトウ−ヒールの方向に±２〜５ｍｍの範囲内にひとつの目印点Ａを設け、
この目印点Ａを５ｍｍ±２ｍｍの円形又は楕円形に形成したことを特徴とするゴルフクラブ。
【請求項２】
ウッドタイプのゴルフクラブにおいて、トウ−ヒール間の最大長さが４．５インチ以上のとき、仮想ラインＹと軸線Ｌとの交点から８ｍｍの範囲内でトウ寄りに目印点を設けたことを特徴とする請求項１に記載のゴルフクラブ。
【請求項３】
前記目印点Ａの後方にこの目印点を所定の長さで真っすぐ引けるような補助目印を設けたことを特徴とする請求項１又は２に記載のゴルフクラブ。
【発明の詳細な説明】
【技術分野】
【０００１】
本発明は、ゴルフゲームで使用されるゴルフクラブに関するものである。
【背景技術】
【０００２】
ゴルフゲームでは、パターを含めて１４本以下のゴルフクラブとしては、一般的にはクラウン部を備えたウッドタイプのゴルフクラブ（２〜５本）と、クラウン部ではなくトップライン（トップブレード）を備えたアイアンタイプのゴルフクラブ（６〜１０本）とが使用される。
【０００３】
ウッド（ウッドタイプのゴルフクラブ、以下同じ）もアイアン（アイアンタイプのゴルフクラブ、以下同じ）も、さらにはパターも、ゴルファーがスイングするとき、ヘッドの重さを感じて（意識して）振れたときに、クラブが動きたい方向と同調した良いスイングとなり、芯を喰う確率も高まり、フェースもボールにスクエアに当たることとなる。例えば、ウッドを構えたとき、フェースの一部とクラウン部とがゴルファーの視界に入り、ゴルファーはボールの後にフェースの中央部分をセットする。そして、テークバックするときに漠然とヘッドの重さを感じても、具体的にヘッドのどの部分に重さを感じながらテークバックしているのかは、アマチュアゴルファーでは明確ではない。大半のアマチュアゴルファーは、フェース面そのものか、クラウン部のフェースとの境目の幅方向（トウ−ヒール間）中間地点あるいはヘッドの側面とかヘッド全体を意識してヘッドを後方に動かし始める。ゴルフクラブメーカーによっては、クラウン部の幅方向中間地点に目印を付したものや、クラウン部に明暗のグラデーションを施してアドレス時にボールをフェース中央にセットし易くしたものも知られている。特にパターヘッドでは、ヘッド上面に種々の目印をつけたものが知られている。
【０００４】
ゴルフクラブのヘッドに目印を付したものとしては、特開平９−２６２３２３号公報（特許文献１）に記載のものが知られている。これは、図１０に示すように、ウッド型のゴルフクラブ１として、シャフト２の先端にヘッド３が装着されたものを示し、フェース４の中央を通ってフェース４に直角な軸線Ｌと同軸上に、中心線５が白色の太線をもってヘッド３の上面に表示されるとともに、軸線Ｌの両側からフェース４側に収束する４本の直線５１〜５４が、ヘッド３のトウ側とヒール側に２本宛表示されているものである。ヒール側に表示された最外側の直線５４は赤色の破線で表示され、この直線５４と中心線５との間の直線５３は緑色の細線で表示され、トウ側に表示された直線５１は黄色の破線、直線５２は青色の細線で表示されている。これらの直線５１〜５４は、打球時のスイートスポット上のボールＢの中心Ｏに向かって収束した構成となっている。また、グリップ６には、アドレス時にピンＰ方向に各直線５１〜５４や中心線５を夫々向けたとき、身体の正面、すなわち、ゴルファーが正常なアドレス姿勢で見下ろしたシャフト２の軸線Ｍ上に目印となる直線５Ａ、５１Ａ、５２Ａ、５３Ａ、５４Ａが夫々中心線５及び各直線５１〜５４に対応して同一色、同一種の線で表示されており、例えば無風状態でピンＰと打球位置との間に何ら障害物がなく、ボールＢの打出し方向とピンＰ方向とが一致するときに、ボールＢの打出し方向に対しヘッド３のフェース４を直角に向けると、打出し方向と中心線５が同軸上に並び、そして、グリップ６に表示した直線５Ａがシャフト２の軸線Ｍ上に位置するようになっている。
【０００５】
この従来例では、ゴルファーは、かかる直線５Ａを目印にグリップを決めて、中心線５に沿ってゴルフクラブ１をスイングすれば、ボールＢは狙ったストレート方向に打出される。ボールＢの打出し方向をフック方向に中心線５を向けてピンＰ方向に直線５４が同軸上に並ぶと、グリップ６に表示した直線５４Ａがシャフト２の軸線Ｍ上に位置することとなる。そのため、ゴルファーは、かかる直線５４Ａを目印としてグリップを決め、直線５４に沿ってゴルフクラブ３９をピンＰ方向にスイングすれば、ボールＢはフックして飛んでいく。
【０００６】
この従来例は、ウッド型のゴルフクラブ１のほか、パターにも応用できるものであり、パターでは、カップＣの方向を意識しながらパッティングを安定して行うことを目的としている。ウッドでもアイアンでも、ピンＰの目標物を意識してボールを打つことが可能となることを目的としているものである。
【０００７】
パターのヘッド上面にのみ目印を付したものとしては、特開２００４−２４３１７号公報（特許文献２）に記載のものが知られている。これは、パターヘッドの裏面を水平面に置いた状態で、パターヘッドの重心を通り、パターフェースに直角方向に水平に向かう直線を想定し、該直線方向のパターヘッドの最大長さが６４〜９０ｍｍであって、パターフェースの長手方向の長さは前記最大長さより大きいパターにおいて、前記直線を含む鉛直線がパターヘッドの上表面がパターヘッドの上表面と交差する線上であって、パターフェースから水平距離で２１．３４±２ｍｍ離れた位置に、平均直径１〜１０ｍｍの第１目印点を設け、第１目印点からさらに、４２．６７±４ｍｍ離れた位置に平均直径１〜１０ｍｍの第２目印点を設けたものである。
【特許文献１】特開平９−２６２３２３号公報
【特許文献２】特開２００４−２４３１７号公報
【発明の開示】
【発明が解決しようとする課題】
【０００８】
特許文献１に開示された目印は、目標物を意識しながら、ストレート、フック、フェードの球筋でピンを狙えるようにしたものであり、特許文献２に開示された目印は、フェースを正確に目標に向けさせるための手段であり、ヘッドの重さを意識させるためのものであったり、ヘッドの動かし始めの軌道をつくるためのものではなかった。したがって、クラブの動きたい方向とスイングとを同調させることは難しかった。そもそも、特許文献１、２に開示されたものは、いずれもヘッドの重さを感じさせ、「振りどころ」、「動かしどころ」を視認させてゴルファーに正しいスイングプレーンにゴルフクラブを乗せさせ（オンプレーン）、気持ち良くクラブを振るための目印にはなっていなかった。
【０００９】
そこで、本発明は、ゴルファーにヘッドの重さを感じさせ、動かすべきヘッドの一点（振りどころ）に意識を集中させ、その結果ゴルフクラブの動きがオンプレーンとなり、気持ち良くクラブが振れて正確なインパクトへ導くことのできるゴルフクラブを提供することを目的とする。
【課題を解決するための手段】
【００１０】
上述の目的を達成するため、本発明は、グリップエンドを把持して吊り下げた場合、ヘッド自体が揺動可能な状態にあるとき、グリップの中心の穴を通る垂線はヘッドのフェースからヘッドの中心方向に入った位置となり、この位置を通るフェースと平行な仮想ラインＹとフェースの中央を通ってフェースに直角な軸線Ｌとの交点を含み、その前後とトウ−ヒールの方向に±２〜５ｍｍの範囲内にひとつの目印点を設け、この目印点を５ｍｍ±２ｍｍの円形又は楕円形に形成したものである。
【発明の効果】
【００１１】
本発明によれば、グリップエンドを把持して吊り下げた場合、ヘッド自体が揺動可能な状態にあるとき、グリップの中心の穴を通る垂線はヘッドのフェースからヘッドの中心方向に入った位置となり、この位置を通るフェースと平行な仮想ラインＹとフェースの中央を通ってフェースに直角な軸線Ｌとの交点を含み、その前後とトウ−ヒールの方向に±２〜５ｍｍの範囲内にひとつの目印点を設け、この目印点を５ｍｍ±２ｍｍの円形又は楕円形に形成したので、ゴルファーはこの目印点にヘッドの重さを感じるように意識を集中し、テークバック始動時にこの目印点を所定の長さ真っすぐに引くようにテークバックすると、ゴルフクラブはオンプレーンとなり、クラブの動きたい方向とスイングとがシンクロし、正確にボールをヒットする確率が高くなる。この目印点は、ゴルフクラブの「振りどころ」であり、「動かしどころ」となる。
【発明を実施するための最良の形態】
【００１２】
以下に、本発明の好適な実施形態を、図面を参照にして説明する。
【００１３】
図１では、図２に示す重心Ｇとフェース４のリーディングエッジ７までの垂直距離を重心深度２０といい、この重心深度２０と同距離のフェース４の上端８からクラウン部１１上（ヘッド上面）の地点を通るフェース４と平行な仮想ラインをラインＹとしたとき、このラインＹと、軸線Ｌとの交点に目印点Ａを設けた。ラインＹの位置も、正確にヘッド単体を測定した場合の重心Ｇを通るフェース４と平行な線に重なる必要はなく、±２〜５ｍｍの誤差は許容することができる。ラインＹは、トウ９とヒール１０との間に亘り、図１では交点に設けた目印点Ａをトウ９方向に８ｍｍの範囲内でずらせて設けることも可能である。特に、ヘッド上面のトウ９−ヒール１０間の幅がゴルフボールを縦に３個並べた長さ（４２．６７×３＝１２８．０１ｍｍ）とほぼ同等の場合、あるいは４．５インチ以上の場合には、交点からトウ９寄りに５ｍｍずらせて目印点Ａを設けることが好ましい。シャフト軸とヘッドの重心点に差があるゴルフクラブの場合は、シャフト軸に対してヘッドが回転しやすいので、スイング中にフェースを開いてしまいがちであり、トウ９寄りを意識してヘッドを動かした方が、インパクトでスクエアに戻り易くなる。特に４４０ｃｃを越える大きさのヘッドでは、重心距離も長くなり、ヘッドを開いてテークバックしてしまうとインパクトでスクエアに戻しにくくなる。
【００１４】
前記目印点Ａとしては、直径５ｍｍ±２ｍｍの円形が好ましく（楕円形でもいい）、三角形や四角形であると、直線部分がスムースな動き、すなわちヘッドの自然な円運動を邪魔して、「振りどころ」、「動かしどころ」としては、円形の目印点Ａよりも効果がなかった。そのため、特許文献１に開示されたような直線では、ヘッドの重さを感じて振るという面では効果が少ない。また、特許文献２の点状のものでも点の直径が小さすぎることと、点が２つあることで、「振りどころ」、「動かしどころ」としての機能はほとんどない。また、円形も直径５ｍｍ±２ｍｍより小さかったり、大きかったりしても効果が減少した。目印点Ａが小さすぎると、ゴルファーがアドレス時に視認しにくくなり、大きすぎるとヘッドの「動かしどころ」の部位があいまいになる。また、この目印点Ａに意識を集中し、この点Ａに重さを感じ、テークバックの開始から１５ｃｍほど目印点Ａを飛球線後方に真っ直ぐに動かすとヘッドは正しい軌道に乗り易くなる。プロゴルファーは、ゴルフクラブを持っただけで、そのヘッドのどこに重さ（重心）があるのかを感覚的に分かるが、アマチュアゴルファーの大半はヘッドの重さを感じ、クラブが動きたい方向に沿ってクラブを動かすことができない。目印点Ａがあれば、この点Ａを振ることにより、クラブの動きたい方向とゴルファーのスイングとが同調（シンクロ）し、ナイスショットとなる確率が高くなる。この目印点Ａを振ることにより、シンクロ状態が生じ、クラブが使いきれ、飛距離も延びる。
【００１５】
次に、重心深度２０といっても、特別な器具で計測しないと正確に重心Ｇの位置を特定することはできないが、市販されているゴルフクラブで、この重心深度２０を簡易に深し出す方法について説明する。図３では、グリップ６の端の中心を垂線Ｚに合致させ、このグリップ６のエンド部分を指２本で軽くつまんでゴルフクラブ１全体を吊り下げたとき、垂線Ｚはヘッド３のフェース４からヘッド３の中心に入った位置となり、この位置を通るフェース４と平行な線を仮想ラインＹとする。そして、この仮想ラインＹとフェース４の中央を通ってフェース４に直角な軸線Ｌとが交わる交点を目印点Ａとする。垂線Ｚとしては、柱やドア、ロッカーなどの垂直な線を利用し、このような垂線Ｚの角にグリップエンドの中心にあいている穴を重ね合わせるが、この時グリップエンドの手前と奥を指でつまむようにして、ヘッド３が揺動するようにクラブを吊り下げる。垂線Ｚがヘッド３の個所でフェース４からヘッド３の中心方向にどれくらい入っているかを調べて仮想ラインＹを想定する。クラブを吊り下げるとき、右利き用のクラブであれば、フェース４が右に向くように吊り下げる。このように計測された重心深度２０は、精密にはズレがあるが、その誤差は±２〜５ｍｍの範囲内であって、目印点Ａを設けるには差し支えない。
【００１６】
重心深度２０を探すための簡易な計測器としては、垂線Ｚが描かれた支柱とこの支柱を垂直に立設した台座と、支柱の上部にグリップエンドを２点把持する把持手段を設けたものを使用できる。把持手段でグリップエンドの中心穴を垂線Ｚに合わせて把持し、このときヘッド３は左右に揺れることが可能（振り子運動）な程度にグリップエンドを掴んでおく。ヘッド３の重さに任せた状態でクラブを吊り下げたとき、ヘッド３のフェース４は垂線Ｚよりも右側に位置することとなる、この状態で垂線Ｚがクラウン部１１に交差する位置を含むフェース４に平行な線を仮想ラインＹとすればよい。
【００１７】
次に、アマチュアゴルファー４人（甲、乙、丙、丁）に、目印点Ａがないクラブと、目印点Ａを設けたクラブとで５球ずつ試打した結果を表１に示す。クラブとしては、ドライバーを使用した。
【００１８】
【表１】
2010119483.tif 000003
【００１９】
テスター甲〜丁の目印点Ａを付したドライバーの試打後の感想は、次のようであった。
甲：テークバックし易く、振り易く感じた。
乙：野球用バットと同じ感覚で振ることができた。
丙：目印点がテークバックの始動のきっかけになった。
丁：スイングがシンプルに感じ、テークバックでヘッドを上げ易くなった。
【００２０】
さらに、ゴルフ歴１〜２年の２０歳代の若者３人（Ｈさん、Ｏさん、Ｉさん）にテスターになってもらった。Ｈさんは、ゴルフ歴１年、平均スコア１２０〜１３０、ヘッドスピード４３ｍ／ｓ、スイングの始動（テークバック）で気をつけていることは、「フェースを目標に向けたまま動かす」ということ、Ｏさんは、ゴルフ歴２年、平均スコア１０５、ヘッドスピード４３ｍ／ｓ、テークバックでは「フェースの向きに気をつかう」ということ、Ｉさんは、ゴルフ歴２年、平均スコア１１０、ヘッドスピード４０ｍ／ｓ、テークバックでは「ヘッドを真っすぐに動かす」ということであった。目印点Ａがないドライバーで５球打ったところ、Ｈさんは、スライスが多く（最大飛距離２２０ヤード）、３発はＯＢゾーンに飛んだ。Ｏさんは、スライス２発、フック２発、テンプラ１発で、飛距離２３０ヤードであった。Ｉさんは、スライスをいやがって左へ引っ張る打球が４発、スライス１発で、計測可能な打球の飛距離が２２０ヤードであった。目印点Ａをつけたドライバーで同じように５発試打した結果、３人ともストレート傾向の打球が増え、曲がり幅が減少し、Ｈさんがヘッドスピード４５ｍ／ｓ、Ｏさんが４５ｍ／ｓ、Ｉさんが４３ｍ／ｓとそれぞれスピードアップした。飛距離も２６０ヤード、２４０ヤード、２４０ヤードと伸びた。漠然とヘッドを動かしたり、クラブを振るのではなく、クラウン部１１に設けた目印点Ａを動かし、振るようにした結果、若い３人のテスターは、弾道傾向が安定し、曲がり幅も少なくなった。Ｈさんは、「スイング中に余計なことを考えずに、リズムよく振れるようになった」と感じ、Ｏさんは、「目印点を動かそうとすると、テークバックがし易く、振り抜きもよくなった」と感じ、Ｉさんは、「テークバックが全然違う。ヘッドがスムースに真っすぐ引ける」と感じた。
【００２１】
現在市販されている代表的なドライバーの重心深度は、メーカーの発表によれば、ヘッド単体で計測された場合、ブリヂストンツアーステージＸ−ＤＲＩＶＥ４４５（登録商標）で３７．２ｍｍ、ミズノＪＰＸＡ２５（登録商標）で３８．５ｍｍ、ＳＲＩスポーツのザ・ゼクシオ（登録商標）で３８．０ｍｍ、テーラーメイドｒ７ＣＧＢＭＡＸ（登録商標）で４２．２ｍｍとなっていて、重心深度５０ｍｍを超えるドライバーもある。重心深度４０ｍｍ前後が、市販ドライバーの一般的数値ともいえる。
【００２２】
今までの説明は、ドライバーを例にして説明したが、図４に示すアイアンタイプのゴルフクラブであっても、上述したようにグリップエンドをつまんで吊り下げ、垂線Ｚからずれたヘッド上面の仮想のラインＹと軸線Ｌとの交点に目印点Ａを設けることができる。この図４では、サンドウェッジ（ロフト角５８度）を示すが、ロフト角２０度〜６０度程度のクラブであれば、フェース４上の重心Ｇからトップライン１２の間のフェース４上に目印点Ａを設けることになる。なお、重心高さが高く、ロフトが大きいアイアン（ショートアイアン）では、目印点Ａはトップライン１２上に近づき、ロフトが小さく低重心のアイアンほどヘッドのフェース４上の重心Ｇに近づくことになる（ロングアイアン）。
【００２３】
図５は、マレット型のパターに目印点Ａを設けたものである。この目印点Ａは１ヶ所のみであり、特許文献２のように重心を通りフェースに直角方向に水平に向かう直線上に重心を挟んで２ヶ所の目印点（第１と第２）を設けたものとは異なる。第１目印点と第２目印点が存在すると両方の点を結んだ直線がイメージされ、「振りどころ」、「動かしどころ」としての機能は薄められ、フェースを目標に向けるという機能が勝ちすぎることとなる。
【００２４】
原則的には、ウッドもアイアンもパターも仮想ラインＹと軸線Ｌとの交点を目印点Ａとすればよい。ただし、誤差の範囲としては、交点の前後とトウ９−ヒール１０の方向に±２〜５ｍｍの範囲内であれば、本発明の目的を達成し得る目印点Ａとなる。ウッドタイプのゴルフクラブにおいて、トウ９−ヒール１０間の最大長さが４．５インチ以上のとき、交点から８ｍｍの範囲内でトウ９寄りに目印点Ａを設けるようにする。この場合、ボールＢはフェース４の中央にセットする。
【００２５】
ヘッド３の上面に目印点Ａを設け、この目印点Ａとグリップエンドとの間に１本の軸ないし棒を想定し、この軸ないし棒をバットのように振ることを可能にしたのが、本発明であるともいえる。換言すると、手元とヘッド３の重心が感覚的に一直線になることにより、手元と先端の重心が変わらない棒状のものを振る感覚でスイングでき、クラブの動きたい方向と一致することとなるのである。「振りどころ」、「動かしどころ」である目印点Ａを振っても（動かしても）、うまくいかないという場合は、グリップやスタンスの向きが間違っていることが多い。グリップについては、ハーフウェイバック（右利きの場合には、右腰横でシャフトと地面が平行になったポジション）で、ヘッド３のトウ９が時計の１１〜１２時の範囲を指すようにフェース４をセットしたところで、グリップを握り、左の指の腹でクラブの重さを感じられるようにする。スタンスについては、両肩、腰、膝が目標方向と平行になるように構える。スイングの事前動作（ワッグルなど）では、グリップやスタンスの向きを正しくし、テークバックでハーフウェイバックまで目印点Ａを意識するのみならず、シャフトが平行になるフォローまでこの目印点Ａを意識することが好ましい。切り返し以降にボールに当てようとする動きが強調されると、クラブが動きたい方向から外れてしまうので、フォローでも目印点Ａを意識することは重要となる。目印点Ａは、ゴルフクラブの重心（ヘッド３単体の重心ではない）をビュッと振れること、野球のバットと同じような感覚で振れることに一番役立つが、グリップやスタンスがバラバラであったり、切り返しから打ち（当て）にいったりすると、クラブの動きたい方向とスイングとがシンクロせず、ヘッドスピードも上がらず、正確なインパクトを得られなくなる。打ちにいくのではなく、クラブを振る、正確にはクラブの重心を振ることができるようにするための手段として目印点Ａがあり、正しいグリップとスタンスで、切り返し後は打ちに行かずにフォローでの目印点Ａを意識することでクラブを振り切ることができる。換言すると、目印点Ａとは「体感重心点」というべきものである。ボールを前にし多大な緊張下にあるプレーヤーにとっては、リラックス状態ならば感じとれるヘッドの重みも、力みによって感じられなくなるケースがほとんどである。目印点Ａを明示すれば、緊張下にある場合でも結果として、ヘッドの重心を感じて振っていることと同じ効果が得られるのである。
【００２６】
図６ないし図９は、目印点Ａの他に、補助目印Ａ´を設けたものを示す実施形態である。図６では、目印点Ａの真後ろにＶ字状の補助目印Ａ´を設け、この目印点Ａを飛球線後方に正しく引けるようにしたものである。図７では、目印点Ａを中心にしてＬ字状の補助目印Ａ´を上下線対称に配し、図８では、ヘッドの最後尾個所にＶ字状の補助目印Ａ´を設け、図９では、目印点Ａからヘッドの最後尾まで複数Ｖ字状の補助目印Ａ´を設けたものを示す。これらの補助目印Ａ´は、例示であり、目印点Ａから飛球線後方に真っすぐにヘッドを引けるような補助目印Ａ´としては、各種デザインが考えられる。なお、目印点Ａや補助目印Ａ´は、メーカーのロゴマークなどであっても良いことは勿論である。
【図面の簡単な説明】
【００２７】
【図１】アドレス時のゴルフクラブの平面図。
【図２】ヘッドの側面図。
【図３】重心深度の計測方法を説明する図。
【図４】アイアンの平面図。
【図５】パターの平面図。
【図６】補助目印を設けた例を示す平面図。
【図７】他の補助目印を設けた例を示す平面図。
【図８】別の補助目印を設けた例を示す平面図。
【図９】さらに別の補助目印を設けた例を示す平面図。
【図１０】従来例を示す平面図。
【符号の説明】
【００２８】
１    ゴルフクラブ
２    シャフト
３    ヘッド
４    フェース
６    グリップ
７    リーディングエッジ
８    フェースの上端
９    トウ
１０  ヒール
１１  クラウン部
１２  トップライン
２０  重心距離
Ａ    目印点
Ｇ    重心
Ｌ    軸線
Ｙ    仮想ライン
【図１】
2010119483.tif 000004
【図２】
2010119483.tif 000005
【図３】
2010119483.tif 000006
【図４】
2010119483.tif 000007
【図５】
2010119483.tif 000008
【図６】
2010119483.tif 000009
【図７】
2010119483.tif 000010
【図８】
2010119483.tif 000011
【図９】
2010119483.tif 000012
【図１０】
2010119483.tif 000013